(57)【要約】要約なし【特許請求の範囲】
【請求項１】
被施術者に薬効成分を摂取させたのち、入浴施術、美容施術および仮眠施術のうち少なくとも一つを行うようにしたことを特徴とする美容方法。
【請求項２】
被施術者に薬効成分を摂取させたのち、入浴施術を行い、つぎに、美容施術を行うようにした請求項１記載の美容方法。
【請求項３】
被施術者に第１の薬効成分を摂取させたのち入浴施術を行い、つぎに、第２の薬効成分を摂取させたのち美容施術を行うようにしたことを特徴とする美容方法。
【請求項４】
被施術者に第１の薬効成分を摂取させたのち入浴施術を行い、つぎに、第２の薬効成分を摂取させたのち美容施術を行い、つぎに、仮眠施術を行ったのち第３の薬効成分を摂取させるようにしたことを特徴とする美容方法。
【請求項５】
請求項１〜４のいずれか一項の美容方法を行ったのち、被施術者に、家庭等において、肌の休養と回復施術とを組み合わせた回復ケアを行わせるようにしたことを特徴とする美容方法。
【発明の詳細な説明】
【技術分野】本発明は、エステティック施術者等が顧客等に対し行う美容方法に関するものである。
【背景技術】  従来から、エステティックサロンや化粧品販売店のエステティックコーナー等では、美容を目的とする各種マッサージが行われており、最も一般的なものは、美顔を目的とするフェイシャルマッサージである。
また、最近では、単なる顔面へのマッサージだけでなく、目の周りを集中的にマッサージする方法（例えば、特開２００１−３７５４２号公報参照）や、顔面へのマッサージと顔面以外への特殊なマッサージを組み合わせて心身をリラックスさせる方法（例えば、特開２００２−２８２３２４号公報参照）が提案されている。
しかしながら、最近、美容効果を高めるには、肌へのマッサージだけでなく、精神的にリラックスした状態を作り出すことや、サプリメント等を用いて体の内面から美容効果を高めること等が提案されており、従来の物理的なマッサージに頼る美容方法とは異なる、優れた美容効果を引き出すような美容方法が強く望まれている。
【発明の開示】
本発明は、このような事情に鑑みなされたもので、薬効成分の摂取と美容施術等とを組み合わせることにより、非常に優れた美容効果が得られる美容方法の提供をその目的とする。
上記の目的を達成するため、本発明は、被施術者に薬効成分を摂取させたのち、入浴施術、美容施術および仮眠施術のうち少なくとも一つを行うようにした美容方法を第１の要旨とし、そのなかでも、特に、被施術者に薬効成分を摂取させたのち、入浴施術を行い、つぎに、美容施術を行うようにした美容方法を第２の要旨とする。
また、本発明は、被施術者に第１の薬効成分を摂取させたのち入浴施術を行い、つぎに、第２の薬効成分を摂取させたのち美容施術を行うようにした美容方法を第３の要旨とし、被施術者に第１の薬効成分を摂取させたのち入浴施術を行い、つぎに、第２の薬効成分を摂取させたのち美容施術を行い、つぎに、仮眠施術を行ったのち第３の薬効成分を摂取させるようにした美容方法を第４の要旨とする。
さらに、本発明は、上記第１〜第４の要旨のいずれかの美容方法を行ったのち、被施術者に、家庭等において、肌の休養と回復施術とを組み合わせた回復ケアを行わせるようにした美容方法を第５の要旨とする。
なお、本発明において、「美容施術」とは、エステティック施術者等が、被施術者に対して行う、美容を目的とした施術をいい、「回復施術」とは、上記美容施術等の施術を受けた被施術者が、家庭等において自分自身で行う、美容を目的とした施術をいう。
また、「肌の休養」とは、肌に対し、刺激をできるだけ与えず、最小限のスキンケアを施す状態をいう。
本発明の美容方法は、被施術者に薬効成分を摂取させたのち、入浴施術、美容施術および仮眠施術のうち少なくとも一つを行うため、上記施術により、血行が促進され心身がリラックスした状態で薬効成分の体内組織への取り込みが行われるようになっている。したがって、単に薬効成分を摂取した場合に比べて、薬効成分の取り込み速度、取り込み濃度が高く、非常に優れた美容効果を得ることができる。
また、上記美容方法において、被施術者に薬効成分を摂取させたのち、入浴施術を行い、つぎに、美容施術を行うようにすると、薬効成分の吸収が一層促進され、より優れた美容効果を得ることができる。
さらに、薬効成分を最初に１回だけ摂取させるのではなく、第１の薬効成分を摂取させたのち入浴施術を行い、つぎに、第２の薬効成分を摂取させたのち美容施術を行うようにすると、上記２種類の薬効成分の相乗効果により、より優れた美容効果を得ることができる。
また、同様の趣旨から、第１の薬効成分を摂取させたのち入浴施術を行い、つぎに、第２の薬効成分を摂取させたのち美容施術を行い、つぎに、仮眠施術を行ったのち第３の薬効成分を摂取させるようにすると、上記３種類の薬効成分の相乗効果により、さらに優れた美容効果を得ることができる。
そして、これらの美容方法を行ったのち、家庭等において、被施術者に、自分自身で特殊な回復ケアを行わせると、その美容効果をより一層高めることができる。
【図面の簡単な説明】    第１図
本発明の一実施例における美容コースの構成を示す説明図である。
第２図
本発明の一実施例における美容コースの構成を示す説明図である。
第３図
本発明の一実施例における美容コースの構成を示す説明図である。
第４図
本発明の一実施例における皮膚の血行状態と、薬効成分の血中濃度と、成長ホルモンの血中濃度の経時的な変化を示す線図である。
【発明を実施するための最良の形態】  つぎに、本発明を実施するための最良の形態について説明する。
本発明は、エステティック施術者等が、顧客に対して行う美容方法で、例えば第１図〜第３図に示す３通りのコースが用意されており、顧客の要望に応じて、あるいはエステティック施術者のアドバイスに応じて、いずれかのコースを選択することができるようになっている。
第１図において、四角枠１で囲われたコースは、「全身ケアコース」という名称が付されており、エステティック施術者（以下「施術者」という）が、エステティック施設等に来店した顧客（以下「被施術者」という）に対して行うもので、（１）コンサルテーション、（２）第１の薬効成分摂取、（３）入浴施術、（４）第２の薬効成分摂取、（５）美容施術、（６）仮眠施術、（７）整肌施術、（８）第３の薬効成分摂取、（９）コンサルテーション、の９つのステップを備えている。
上記「（１）コンサルテーション」のステップでは、例えば、問診により、被施術者の心、肌、体のそれぞれのバランス状態を把握することが行われる。このとき、体調、病歴、妊娠、アレルギー体質の有無等、施術を進める上での禁忌事項を確認しておくことが重要である。また、血圧、体脂肪率、身長、体重といった身体に関するデータや、皮膚水分量、皮脂量、角質含有水分量、角質剥離パターンといった皮膚に関するデータの、装置を用いた測定も、必要に応じて適宜行われる。そして、これらの問診結果、測定結果から、被施術者の状態に最も適した施術プランが組み立てられるようになっている。
つぎに、「（２）第１の薬効成分摂取」のステップにおいて、上記施術プランにもとづき、被施術者の状態に適した薬効成分を含有するサプリメントを調合して、被施術者に経口で摂取させる。上記サプリメントとしては、下記の表１に示す種類のものが用意されているが、このステップでは、通常、ダイエット効果（発汗作用、脂肪燃焼作用）のある成分を含むサプリメントを、温かい飲み物として摂取させることが好適である。また、どのような調合においても、ビタミンＣとビタミンＢ１２は必ず配合することが、美容上好適である。なお、調合例としては、例えば、ラズベリーケトン、食物繊維、カプサイシン、しょうがエキスを適宜の割合で混合して煮出し、お茶のような飲料としたものがあげられる。
2005020746.tif 000002
つぎに、「（３）入浴施術」のステップとして、被施術者を入浴させる。入浴により、心身をリラックスさせるとともにリフレッシュさせることができる。そして、発汗により体内の老廃物が放出されるため、毛穴や体表面だけでなく体内をも清浄にすることができる。さらに、血行を促進して組織の代謝を促進することができる。また、体内から乳酸を除去して筋肉疲労を回復させることができる。なお、本発明において、「入浴」は、お湯につかるいわゆる「入浴」の他、シャワーのみの場合、サウナやスチーマーを用いる場合等も「入浴」の一態様である。
ただし、お湯につかる場合、お湯に適宜の入浴剤を投入することにより、入浴による諸効果を一層高めることができ、美容上、より好適である。例えば、炭酸水素塩（ＮａＨＣＯ３）を含有する入浴剤を用いると、上記炭酸水素塩が皮脂とケン化反応を生起し、毛穴の中まですっきり洗浄することができる。また、メタ珪酸を含有する入浴剤を用いると、表皮のターンオーバーが促進され、肌荒れが改善してなめらかな肌を得ることができる。また、環境が肌に与える影響を考慮して、季節ごとに異なる種類の入浴剤を用いるようにしてもよい。例えば、春には抗酸化効果を有する入浴剤、初夏には毛穴ケア効果を有する入浴剤、夏には美白効果を有する入浴剤、秋には角質ケア効果を有する入浴剤、初冬には保湿効果を有する入浴剤、冬には代謝促進効果を有する入浴剤を、それぞれ用いることが好適である。
上記入浴施術の所要時間は、その施術内容にもよるが、通常、入浴前に摂取した第１のサプリメントの消化吸収時間と後述の美容施術開始時間とを考慮して、１０〜２０分程度に設定することが好適である。この範囲の時間設定によれば、上記のような入浴による効果が充分に発現するとともに、体にかかる負担も小さいからである。
つぎに、「（４）第２の薬効成分摂取」のステップにおいて、前述の施術プランにもとづき、被施術者の状態に適した薬効成分を含有する第２のサプリメントを調合して、被施術者に経口で摂取させる。上記第２のサプリメントとしては、前述の、表１に示すサプリメントの中から、適宜のものが選択され調合される。このステップでは、通常、美肌効果のある成分を含むサプリメントを、濃縮飲料として摂取させることが好適である。なお、調合例としては、例えば、ビタミンＣ、ビタミンＢ１２、ビタミンＥ、ビタミンＢ群、ベータカロチン、アミノ酸類を適宜の割合で混合した濃縮飲料があげられる。
つぎに、「（５）美容施術」のステップとして、被施術者に対し、以下のような施術を行う。すなわち、背中、下肢背面および頭に対しては、マッサージ料を用いたハンドマッサージを行い、顔面と、首から胸元にかけての部分（デコルテ）に対しては、クレンジング→マッサージ料を用いたハンドマッサージ→マスクによる有効成分の付与→化粧水、エマルジョン、被施術者の肌状態に応じた美容エッセンスの付与という一連の施術を行う。また、腹部と下肢前面に対しては、マッサージ料を用いたハンドマッサージを行う。ただし、上記施術は、適宜選択した部位に対し、適宜の順に行うことができる。
なお、上記ハンドマッサージは、主として、擦る、揉む、叩く等の物理的な刺激を与えて血行を促進する動作と、つぼ押し、指圧等によりバランスをとる動作と、肌を軽くなでたり、温めたりして血行が促進された状態を維持する動作の３段階を経由するようにすることが好適である。そして、これらの動作に、血行促進効果の高いラッピングやパック等の施術を、適宜組み合わせることができる。
また、上記「（５）美容施術」は、前記第１の薬効成分摂取の時間から、所定時間が経過して、その薬効成分の血中濃度がある程度上昇した時間から開始することが好適である。すなわち、第４図に示すように、前記入浴施術によって、第１の薬効成分の血中濃度がある程度上昇し、これが維持された段階で、美容施術を開始することにより、皮膚の血行を促進して、さらに濃度上昇させることができるからである。なお、上記薬効成分の血中濃度上昇時間は、第１の薬効成分の種類、被施術者の年齢、摂取時のサプリメントの形態（水溶液、錠剤、カプセル等）、摂取時間帯（昼間か夜間か）、被施術者が満腹か空腹か、等の諸条件により異なるため、入浴施術から美容施術の開始に至るまでの時間を、適宜調節して、最適なタイミングで美容施術を行うようにすることが好適である。その時間は、通常、第１の薬効成分摂取の時間から、大体、１０〜１００分経過後に設定される。
つぎに、「（６）仮眠施術」のステップとして、被施術者に仮眠をとらせる。仮眠をとることにより、成長ホルモンの分泌を高め、前の美容施術によって濃度が高められた薬効成分の細胞や組織内での利用が高まるからである（第４図参照）。特に、アミノ酸類の利用を高めることにより、組織の修復を促進することが好適である。また、体を温かくして仮眠すると、前の美容施術によって活性化された血行や代謝が緩やかにクールダウンし、美容施術効果をより持続することができる。そして、前の美容施術において接触刺激が続くため、この仮眠中、静かに放っておかれることにより、その落差によるリラックス効果が大きい。また、この際、マスクやボディラップによる施術を行うこともできる。
なお、上記仮眠施術における仮眠時間は、適宜に設定することができるが、通常、１０〜３０分に設定することが好適である。すなわち、１０分未満では、上記のような仮眠による効果が充分に発現しにくく、逆に３０分を超えると、仮眠後に倦怠感が表れたり、いたずらに被施術者を拘束することになってしまうからである。
つぎに、「（７）整肌施術」のステップとして、被施術者に対し、整肌施術を行う。この施術では、通常、化粧水、エマルジョン、全身ケアクリーム、被施術者の肌の状態に合わせたエッセンス、仕上げクリーム等を適宜用いて、被施術者の肌を整えることが行われる。
そして、「（８）第３の薬効成分摂取」のステップにおいて、前述の施術プランにもとづき、被施術者の状態に適した薬効成分を含有するサプリメントを調合して、被施術者に経口で摂取させる。上記サプリメントも、前述の、表１に示すサプリメントの中から、適宜のものが選択され調合される。このステップでは、通常、覚醒効果、エネルギー補給効果のあるサプリメントを摂取させることが好適である。なお、調合例としては、例えば、ブドウ糖、ナイアシン等のビタミン類、アミノ酸類、炭水化物（単糖類、ブドウ糖になる）を、キャンディに含有させたものがあげられる。
つぎに、「（９）コンサルテーション」のステップにおいて、次回施術までに、家庭で行う回復ケアの内容についてアドバイスを行う。上記回復ケアのポイントは、専門家が行う美容施術のあと、２〜３日は肌を休め、その後、念入りな回復施術を行うことである。すなわち、上記美容施術を受けることにより、肌は比較的強い刺激を受けて、よりよい状態になるための準備をする。この時期は、肌に対し新たな刺激を与えない方がよい。そして、肌がよりよい状態になり始めた過程で、念入りな有効成分補給を行うと、肌が、さらによい状態にステップアップするのである。
上記（１）〜（９）のステップにより、一連の施術を組み合わせた全身ケアコースは終了するが、顧客は、帰宅後、上記アドバイスにもとづき、第１図において、四角枠２で囲われた内容の回復ケアを自ら行うことが望ましい。
上記回復ケアは、前記アドバイスにもとづいて、「（ａ）肌の休養」と「（ｂ）回復施術」という２段階で行われる。
まず、「（ａ）肌の休養」のステップでは、上記美容施術を受けて帰宅した後、２〜３日は、肌を刺激することはできるだけ避け、肌を休めるようにする。例えば、マッサージ等は避け、ローションマスクで保湿する等の、刺激のないスキンケアにとどめるようにする。
つぎに、「（ｂ）回復施術」のステップとして、顧客自身が積極的にマッサージを行ったり、有効成分を豊富に含ませたマスク等を用いて施術を行う。また、回復施術の前後でのサプリメント摂取、回復施術前・中での入浴、回復施術後の仮眠または唾眠を組み合わせると、さらに効果は高まる。
上記全身ケアコースの美容方法によれば、経口で摂取した３種類の薬効成分が、入浴施術、全身に対する美容施術、仮眠施術等と組み合わせられることによって、体内で効果的に吸収されるため、従来では得られない、優れた美容効果を得ることができる。そして、この全身ケアコースの美容施術等と家庭での回復ケアを組み合わせた美容方法によれば、全身ケアコースの美容施術等によって受けた刺激から肌が回復する過程で、充分な休養と、新たな刺激が与えられるため、肌がさらに良好な状態にステップアップして、一層優れた美容効果を得ることができる。
また、第２図において、四角枠１′で囲われたコースは、上記全身ケアコースとともに用意されるもので、「フェイシャルコース」という名称が付されている。このコースは、（１）コンサルテーション、（２）第１の薬効成分摂取、（３）美容施術、（４）仮眠施術、（５）整肌施術、（６）第２の薬効成分摂取、（７）コンサルテーション、の７つのステップを備えている。
上記フェイシャルコースにおいて、最初の「（１）コンサルテーション」のステップは、前記全身ケアコースにおける最初のコンサルテーションのステップと同様に行われる。
つぎに、「（２）第１の薬効成分摂取」のステップにおいて、被施術者に摂取させるサプリメントとしては、上記「（１）コンサルテーション」において設定された施術プランにもとづき、被施術者の状態に適した薬効成分を含有するサプリメントが用いられる。上記サプリメントとしては、前記表１に示すサプリメントの中から、適宜選択され調合されるが、このステップでは、通常、美肌効果のある成分を含むサプリメントを、濃縮飲料として摂取させることが好適である。なお、調合例としては、例えば、ビタミンＣ、ビタミンＢ１２、ビタミンＥ、ビタミンＢ群、ベータカロチン、アミノ酸類を適宜の割合で混合した濃縮飲料があげられる。
また、「（３）美容施術」のステップとして、以下のような施術を行う。すなわち、頭に対しては、マッサージオイルを用いたハンドマッサージを行い、顔面と、首から胸元にかけての部分（デコルテ）に対しては、クレンジング→マッサージ料を用いたハンドマッサージ→マスクによる有効成分の付与や化粧水、エマルジョン、被施術者の肌状態に応じた美容エッセンス等の付与という一連の施術を行う。また、ボディパウダーを用いたパウダーマッサージも行う。なお、施術部位の選択と施術の順序は適宜に設定される。また、ここでのハンドマッサージも、全身ケアコースにおけるハンドマッサージと同様、主として、擦る、揉む、叩く等の物理的な刺激を与えて血行を促進する動作と、つぼ押し、指圧等によりバランスをとる動作と、肌を軽くなでたり、温めたりして血行が促進された状態を維持する動作の３段階を経由するようにすることが好適である。そして、これらの動作に、血行促進効果の高いラッピングやパック等の施術を、適宜組み合わせることができる。
つぎに、「（４）仮眠施術」のステップとして、被施術者に仮眠をとらせ、ついで、「（５）整肌施術」のステップとして、被施術者に対し、整肌施術を行う。これらのステップの構成および効果は、前記全身ケアコースの場合と同様である。
そして、「（６）第２の薬効成分摂取」のステップとして、被施術者の状態に適した薬効成分を含有するサプリメントを調合して、被施術者に経口で摂取させる。上記サプリメントも、前述の、表１に示すサプリメントの中から、適宜のものが選択され調合される。このステップては、通常、覚醒効果、エネルギー補給効果のあるサプリメントを摂取させることが好適である。なお、調合例としては、例えば、ブドウ糖、ナイアシン等のビタミン類、アミノ酸類、炭水化物（単糖類、ブドウ糖になる）を、キャンデイに含有させたものがあげられる。
そして、最後に、前記全身ケアコースの場合と同様、「（７）コンサルテーション」のステップを経て、一連のフェイシャルコースを終了する。
つぎに、帰宅した顧客は、家庭において、前記全身ケアコースを受けた顧客と同様、「（ａ）肌の休養」、「（ｂ）回復施術」の２段階からなる回復ケアを行うことが望ましい。上記回復ケアも、前記全身ケアコースの後に行う回復ケアと同様であり、その説明を省略する。
上記フェイシャルコースの美容方法によれば、経口で摂取した２種類の薬効成分が、顔を中心とした美容施術等と組み合わせられることによって、体内で効果的に吸収されるため、従来では得られない、優れた美容効果を得ることができる。そして、これと、家庭での回復ケアを組み合わせた美容方法によれば、美容施術等によって受けた刺激から、肌が回復する過程で、充分な休養と、新たな刺激を受けるため、肌がさらに良好な状態にステップアップして、一層優れた美容効果を得ることができる。
さらに、第３図において、四角枠１″で囲われたコースは、上記全身ケアコース、フェイシャルコースとともに用意されるもので、「入浴コース」という名称が付されている。このコースは、（１）コンサルテーション、（２）第１の薬効成分摂取、（３）入浴施術，（４）仮眠施術、（５）整肌施術、（６）第２の薬効成分摂取、（７）コンサルテーション、の７つのステップを備えている。
上記入浴コースにおいて、まず、他の２つのコースと同様、最初に「（１）コンサルテーション」のステップにおいてコンサルテーションを行い、つぎに、「（２）第１の薬効成分摂取」のステップにおいて、被施術者にサプリメントを摂取させる。上記サプリメントは、前記全身ケアコースの第１の薬効成分と同様のものが用いられる。
つぎに、「（３）入浴施術」のステップと、「（４）仮眠施術」のステップと、「（５）整肌施術」のステップとを、前記全身ケアコースの場合と同様にして行う。
そして、「（６）第２の薬効成分摂取」のステップでは、前記フェイシャルコースの第１の薬効成分摂取のステップに用いたサプリメントと同様、美肌効果のあるサプリメントを適宜組み合わせて濃縮飲料としたものを摂取させる。
そして、最後に、前記全身ケアコース、フェイシャルコースと同様、（７）コンサルテーションのステップを経て、一連の入浴コースを終了する。
そして、帰宅した顧客は、家庭において、前記全身ケアコース、フェイシャルコースを受けた顧客と同様、「（ａ）肌の休養」、「（ｂ）回復施術」の２段階からなる回復ケアを行うことが望ましい。
上記入浴コースの美容方法によれば、経口で摂取した２種類の薬効成分が、入浴施術等の施術と組み合わせられることによって、体内で効果的に吸収されるため、従来では得られない、優れた美容効果を得ることができる。そして、これと、家庭での回復ケアを組み合わせた美容方法によれば、入浴施術等によって受けた刺激から、肌が回復する過程で、充分な休養と、新たな刺激を受けるため、肌がらさらに良好な状態にステップアップして、一層優れた美容効果を得ることができる。
このように、上記美容方法は、どのコースを選択しても、経口で摂取した薬効成分が、美容施術等の各種施術と組み合わせられることによって、体内で効果的に吸収され、優れた美容効果を得ることができるようになっている。したがって、顧客は、自分の肌の状態や、時間的な余裕等に応じて、上記３つのコースから最も自分に適したコースを選択することができ、そのコースの美容施術により、優れた美容効果を得ることができる。そして、さらに、アドバイスを受けたとおり、家庭での回復ケアを実施することにより、さらに優れた美容効果を得ることができる。
なお、上記の例では、美容コースとして、全身ケアコース、フェイシャルコース、入浴コースの３つのコースを用意したが、必ずしもこの３つのコースを用意する必要はなく、少なくとも１つのコースが用意されていればよい。そして、コース内容についても、薬効成分を摂取するステップと、美容施術（全身でも顔面等の部分でもよい）と入浴施術と仮眠施術の少なくとも一つのステップとが組み合わせられた構成であれば、他の構成は特に限定されるものではない。
そして、上記の例のように、エステティックサロン等でエステティック施術者等が行う施術後に、家庭等で被施術者自身が回復ケアを行うことは、必ずしも必要ではないが、すでに述べたように、回復ケアを行う方が、より優れた美容効果が得られるため好適である。
また、薬効成分を摂取させるために用意するサプリメントも、上記の例に限らず、各種のサプリメントを適宜用いることができる。そして、経口で摂取するものではないが、心身にリラックス効果をもたらすこと等を目的として、適宜の施術中に、あるいはつぎのステップへの待ち時間等において、香り成分を匂わせたり、音楽を聞かせたりしてもよい。もちろん、施術に用いるマッサージ料や美容液、化粧水等においても、被施術者の心身の状態に応じて適宜の香りが付加されたものを用いるようにしてもよい。
さらに、コンサルテーションの内容、美容施術におけるハンドマッサージの内容等についても、上記の例に限らず、適宜の内容を選定することができる。
【図１】
2005020746.tif 000003
【図２】
2005020746.tif 000004
【図３】
2005020746.tif 000005
【図４】
2005020746.tif 000006